(57)【要約】  【課題】  排水機器と床下に設置される排水管との間に設置される排水トラップであって、高さ調整が容易に行うことができる排水トラップを提供することにある。更には、壁内の設置に適した排水トラップを提供すること。    【解決手段】  壁裏の隙間に設置される本体と、この本体と排水管とを接続する継手とを備える。本体には、トラップ部と、該トラップ部の上方に位置して、壁を貫通して壁表に露出し、排水機器の排水口に接続される第１接続口と、トラップ部の下方から床下に延びて下端に第２接続口を有する管体とを一体形成して備える。また継手には管体に接続される第３接続口と、排水管が接続される第４接続口とを備え、且つ、第３接続口は、壁に沿う方向が壁厚方向に比して長く延びる形状となるよう形成される。更に、管体は、床下までの長さを調整すべく切断可能で、切断された状態で第３接続口に接続可能に備えられ、且つ、壁に沿う方向が壁厚方向に比して長く延びる形状となるよう形成されてなる。  【選択図】  図１
2008291456.tif 000002
【特許請求の範囲】
【請求項１】
排水機器と床下に設置される排水管との間に設置される排水トラップであって、
壁裏の隙間に設置される本体と、この本体と前記排水管とを接続する継手とを備え、
前記本体には、トラップ部と、該トラップ部の上方に位置して、前記壁を貫通して壁表に露出し、前記排水機器の排水口に接続される第１接続口と、前記トラップ部の下方から前記床下に延びて下端に第２接続口を有する管体とを一体形成して備え、
前記継手には前記管体に接続される第３接続口と、前記排水管が接続される第４接続口とを備え、且つ、前記第３接続口は、壁に沿う方向が壁厚方向に比して長く延びる形状となるよう形成され、
前記管体は、前記床下までの長さを調整すべく切断可能で、切断された状態で前記第３接続口に接続可能に備えられ、且つ、壁に沿う方向が壁厚方向に比して長く延びる形状となるよう形成されてなることを特徴とする排水トラップ。
【請求項２】
管体は、第２接続口が第３接続口の内方に遊嵌可能で且つパッキンを介して水密に接続されるように形成されたことを特徴とする請求項１記載の排水トラップ。
【請求項３】
第１接続口と第２接続口は、壁面への投影位置が垂直線上となるように配置されたことを特徴とする請求項１又は２記載の排水トラップ。
【請求項４】
本体が、トラップ部の内部を確認すべく壁を貫通して壁表に露出する点検口を備えたことを特徴とする請求項１〜３のいずれかに記載の排水トラップ。
【請求項５】
第１接続口と点検口は、壁面への投影位置が垂直線上となるように配置されたことを特徴とする請求項４記載の排水トラップ。
【発明の詳細な説明】
【技術分野】
【０００１】
この発明は、排水機器と床下に設置される排水管との間に設置される排水トラップの改良に関する。
【背景技術】
【０００２】
従来より、洗面台内の空間を確保するために、図１３〜１４に示すようなユニット式の洗面台に備えられた排水トラップが知られている（特許文献１参照）。このユニット式の洗面台は、排水設備としての洗面台を有したもので、洗面台からの排水が、ユニットの背板に組み込まれた排水トラップに流され、この排水トラップからの配管が、床下に設置される排水管に接続されるようになっている。そのためユニットのキャビネット内は広い収納空間として利用できる等の利点が得られている。
【特許文献１】特開平７−１０９７５３号公報
【発明の開示】
【発明が解決しようとする課題】
【０００３】
ただ洗面台の高さや洗面台のユニットの構造に合わせて、複数種類の排水トラップを用意しなければならなかった。
【０００４】
また、ユニット式の洗面台などにおいてはその高さに合わせた排水トラップを用意するだけでもいいものの、ユニット式ではなく、壁に直接取り付けるような洗面台は、その洗面台に合わせて、現場での排水トラップの高さ調整が必要であり、従来のものでは対応できなかった。
【０００５】
また部屋の床には、排水トラップを床下の排水管に接続するための穴を設ける必要があり、その分、床を傷付けることとなる。
【０００６】
またユニット式でない場合には、排水トラップが室内に露出した状態となるなどして、見た目にもよくなかった。
【０００７】
以上の点を鑑み、本願発明の目的とするところは、排水機器と床下に設置される排水管との間に設置される排水トラップであって、高さ調整が容易に行うことのできる排水トラップを提供することにある。更には、壁内の設置に適した排水トラップを提供することにある。
【課題を解決するための手段】
【０００８】
以上の問題を鑑み、本願の請求項１記載の発明は、排水機器と床下に設置される排水管との間に設置される排水トラップであって、
壁裏の隙間に設置される本体と、この本体と前記排水管とを接続する継手とを備え、
前記本体には、トラップ部と、該トラップ部の上方に位置して、前記壁を貫通して壁表に露出し、前記排水機器の排水口に接続される第１接続口と、前記トラップ部の下方から前記床下に延びて下端に第２接続口を有する管体とを一体形成して備えている。そして、前記継手には前記管体に接続される第３接続口と、前記排水管が接続される第４接続口とを備え、且つ、前記第３接続口は、壁に沿う方向が壁厚方向に比して長く延びる形状となるよう形成されている。更に、前記管体は、前記床下までの長さを調整すべく切断可能で、切断された状態で前記第３接続口に接続可能に備えられ、且つ、壁に沿う方向が壁厚方向に比して長く延びる形状となるよう形成されてなることを特徴とする。
【０００９】
請求項２記載の発明は、請求項１記載の発明において、管体が、第２接続口が第３接続口の内方に遊嵌可能で且つパッキンを介して水密に接続されるように形成されたことを特徴とする。
【００１０】
請求項３記載の発明は、請求項１又は２記載の発明において、第１接続口と第２接続口が、壁面への投影位置が垂直線上となるように配置されたことを特徴とする。
【００１１】
請求項４記載の発明は、請求項１〜３のいずれかに記載の発明において、本体が、トラップ部の内部を確認すべく壁を貫通して壁表に露出する点検口を備えたことを特徴とする。
【００１２】
請求項５記載の発明は、請求項４記載の発明において、第１接続口と点検口は、壁面への投影位置が垂直線上となるように配置されたことを特徴とする。
【発明の効果】
【００１３】
本願請求項１記載の発明によれば、排水トラップはその管体が切断可能なので、取り付け現場での洗面台やそのユニット構造に合わせた長さ調整が可能であり、高さに合わせた何種類もの排水トラップを用意する必要がない。
【００１４】
また、特にユニット式ではなく、従来であれば排水トラップが露出していたような取り付け場所であっても、排水トラップを壁の中にしまうことができるので、部屋の内観が良好になる。また排水トラップから床下への配管は、壁裏で成されるので、従来であれば、室内の床に設けていた配管用の穴を設ける必要が無くなり、その分、床を傷つけなくて済む。
【００１５】
またこの発明は、床下の継手は、その一部が壁裏に入り込むような配置をする場合を想定したものである。この継手は一般にＬ字状をなしているが、床下空間が狭いような場合には、このＬ字の縦部分を壁裏に入り込ませた様な配置で用いる場合がある（後述する実施例の図３参照）。ところで、排水トラップと継手の接続部分は入れ子になるので、その分、太くなってしまう。
【００１６】
ここで仮に、トラップ部が、壁裏の（壁厚方向の）隙間にぎりぎり入るような厳しい配置条件の現場の場合、上記のような接続部分も壁裏の隙間（図３の１００Ａ）に入るような太さでなければならない。
【００１７】
本願発明はこの様な事情に応えるために成されたものであり、継手の第３接続口もこれに挿す管体も、前記壁に沿う方向を壁厚方向に比して長く延びる形状にしたので、つまり断面を扁平にしたので壁厚方向を薄くすることができる。例えば、第３接続口の壁厚方向の長さを、トラップ部の壁厚方向の長さに揃えることも可能となる。従って管体はトラップ部よりも壁厚方向が短くなるが、その分壁に沿う方向を長くすることにより、管体内周の断面積を確保することができ、トラップ部から流れてくる排水の流量を受け入れることができるのである。
【００１８】
更には、管体を接続する第３接続口が扁平なので、この扁平が回り止めとなりその管体を回動軸としたような回動の起きることもない。よってトラップ部や壁表に貫通する第１接続口は、この様な回動向きの位置固定がなされ、トラップ取り付け後の壁の施工時にも作業が容易になる。
【００１９】
請求項２記載の発明によれば、また第２接続口は第３接続口に遊嵌できるので、単に手で差し込むだけでよく、後は、第３接続口の内方に配置されたパッキン部分に挿し込めば、水密な接続が成される。従って、接続に際しては、切断用にノコなどの道具さえあれば、そのほかには特段の準備も必要なく接続ができ、容易な作業が実現できる。
【００２０】
請求項３記載の発明は、第１接続口と第２接続口が壁面への投影位置が縦一列となるように配置されたので、結局、第１接続口は継手の第３接続口の真上に位置することとなるが、そのため、トラップ取り付け後に施工される壁表は、その壁板などに設けられる第１接続口用の貫通穴を貫通させる場合には、その貫通位置の特定が容易となり、その分、施工が容易になる。
【００２１】
請求項４記載の発明は、本体が、トラップ部の内部を確認すべく壁を貫通して壁表に露出する点検口を備えたので、壁裏に配置させた排水トラップでありながらも、壁表側に点検口が設けられるので、点検が容易に行える。
【００２２】
請求項５記載の発明は、請求項３と同様に、第１接続口、点検口、第３接続口の壁面への投影位置が縦一列になるので、排水トラップの取り付け後に成される壁の施工時には、点検口用の穴を貫通させる作業が容易になる。
【発明を実施するための最良の形態】
【００２３】
次に、本願発明の実施例を図をもって説明する。
【００２４】
図１〜２に示すのは、図３に示すように排水機器としての洗面台２００と床下に設置される排水管３００との間に設置される本願発明の排水トラップ１の実施例であり、合成樹脂製の本体１０と継手２０とが接続され、その接続部分を止め具３０で締めたものが、表壁１００の壁裏にできる隙間１００Ａに配置されるように取り付けられるものである。
【００２５】
本体１０は、図４〜６に示すように、壁裏１１０にできる壁厚方向の隙間１００Ａに対応した前後幅を有するトラップ部１１が備えられ、又このトラップ部１１の上方に位置して排水機器としての洗面台２００の排水口２１０に接続される第１接続口１２と、トラップ部１１の内部を確認すべく点検口１３とが、表壁１００を貫通して壁表に露出するように備えられ、更にトラップ部１１の下方から床下に延びて下端に第２接続口１４を有する管体１５とが備えられている。樹脂製の本体は、トラップ部１１と管体１５と第１接続口１２と点検口１３とが一体形成されている。
第１接続口１２と第２接続口１４と点検口１３とは、排水トラップ１を壁裏に取り付けられた時には、それらの壁面への投影位置が垂直線上となるように配置されている。また管体１５は、断面が図７に示すような扁平な略楕円形を成している。
またトラップ部１１には、第１接続口１２の裏側となる側には横板状の固定部１６が一体成形されていて、これに設けられた釘孔１６ａにより、裏壁や柱間に張り渡される長板などの横架材１１１に釘や木ネジで固定されるようになっている。ただこの固定部１６は、横架材１１１の厚みを収納できるように凹んだ状態に形成されており、これにより、壁裏の狭い隙間１００Ａであっても、横架材１１１の厚みに邪魔されて排水トラップ１が隙間１００Ａに入らないという事の無いようにしてある。
【００２６】
継手２０は、図８〜１０に示すように、Ｌ字状を成しており、上方開口して第２接続口が接続される第３接続口２１と、排水管３００が接続される側方開口した第４接続口２２とを備えている。また継手２０の底面には床下の任意箇所に固定するための固定部２３が備えられ、第３接続口の外周には止め具を係止させる係止部２４が備えられている。
この継手２０の第３接続口２１は、図３のように第４接続口２２を壁厚方向に向けて配置された時の壁厚方向（図８の２１Ｌ）が、トラップ部１１の壁厚方向の長さ（図５の１１Ｌ）と同じに形成されて扁平になっているのである。つまり壁厚方向が壁裏の隙間１００Ａに対応した長さに形成されると共に、壁に沿う方向が壁厚方向に比して長く延びる形状となるよう形成されている。
【００２７】
この排水トラップ１は樹脂製なので、その管体１５は、床下までの長さを調整すべく切断可能となっている。そしてこの管体１５の断面形状は、図７に示したように扁平で、つまり壁に沿う方向が壁厚方向に比して長く延びる形状に形成されることにより、第３接続口２１の内周の扁平に対応した同一切断面形状に形成されている。従って、管体１５のどの位置で切断しても、切断されて新たに形成される第２接続口１４は、常に第３接続口２１に接続可能になっている。
【００２８】
また管体１５の外周は、第３接続口２１の内周よりは少し細く形成されており、これにより、切断してできた新たな第２接続口１４は、第３接続口２１の内方に遊嵌可能となるのである。そして図１１に示す楕円状のパッキンを第３接続口２１に内方に嵌め、ここに第２接続口１４を挿して接続することにより、水密な接続がされるように形成されているのである。
【００２９】
次にこの排水トラップ１の利用方法を、排水トラップが取り付け済みの状態を示している図３を用いて説明する。
【００３０】
まず施工前の状態であるが、床は床下の基礎床４００だけができており、床板４１０の張ってない状態である。また壁は、取り付け箇所の裏面側となる裏壁１１０だけが施工済みであり、手前側の表壁１００はまだない状態である。
【００３１】
この状態で、まず継手２０を、第３接続口２１が壁の隙間１００Ａに挿し入れる様な配置にして、基礎床４００に敷設される排水管３００と接続しておく。
【００３２】
この状態で、洗面台２００の高さ位置から、排水トラップ１の第１接続口１２の高さを決め、その高さに合う長さに管体１５を切断するのである。例えば、第１接続口１２の高さを裏壁１１０にマークして、その高さに合わせながら裏壁１１０に排水トラップ１１を宛がって管体１５を継手２０に近隣に垂れさせ、さの継手２０に合わせて管体１５の切断箇所を決めたら、その箇所を切断するのである。
【００３３】
切断できたら、第３接続口２１の内側に図１１に示すような略楕円のパッキン２５を入れ、ここに扁平な管体１５を挿し込んで、図１２のように接続させるのである。この様にして挿すと、排水トラップ１は、第２接続口１４と第３接続口２１が共に扁平なため、管体１５を軸とした時の回動向きが固定され、つまり排水トラップ１の向きが固定されるので、結果、第１接続口１２と点検口１３は貫通する表壁１００に対して直角な向きを保つことができるのである。このように挿したら、その接続部分の外周には、この外周形状に対応して形成されたバンド状の止め具３０で締め、接続の強化をする。         
【００３４】
このようにして排水トラップ１の組み立てができたら、トラップ部１１裏面の固定部１６を、裏壁１１０に張り渡された横架材１１１に木ネジなどで固定されるのである。ただ横架材１１１は、トラップ部１１裏面の固定部１６の凹みに収納されるので、正確な高さでないと収納できない。そのため、壁や柱間に架設する前にトラップ部１１裏面に収納させ、これにより高さ決めをしてから、壁や柱間に横架材１１１を固定して架設するのでもよい。
【００３５】
この様にして排水トラップ１を固定したら、床板４１０と表壁１００を順次施工するのである。表壁１００には第１接続口１２と点検口１３の為の穴を設け、ここからそれぞれを貫通させるようにして表壁１００の施工を行うのである。表壁１００の施工ができたら、これに排水機器としての洗面台２００を取り付け、洗面台２００の排水口２１０を第１接続口１２に接続する。また点検口１３にはキャップ１３ａをネジ締めして水密にし、最終的には、図３に示したような状態にするのである。
【００３６】
なお本願発明は上記の実施例に限るものではなく、発明の趣旨を逸脱しない範囲でどのように実施されてもよい。
【図面の簡単な説明】
【００３７】
【図１】この図は、実施例の排水トラップの斜視図である。
【図２】この図も、実施例の排水トラップの斜視図である。
【図３】この図は、図１の排水トラップを壁裏に取り付けた様子の説明図である。
【図４】この図は、本体の正面図である。
【図５】この図は、本体の右側面図である。
【図６】この図は、本体の背面図である。
【図７】この図は、図４におけるＡ−Ａ断面図である。
【図８】この図は、継手の右側面図である。
【図９】この図は、継手の正面図である。
【図１０】この図は、継手の平面図である。
【図１１】この図は、パッキンの図である。
【図１２】この図は、継手に本体の管体を挿した様子の説明図である。
【図１３】この図は、特許文献１の排水トラップの説明図である。
【図１４】この図も、特許文献１の排水トラップの説明図である。
【符号の説明】
【００３８】
１  排水トラップ
１０  本体
１１  トラップ部
１２  第１接続口
１３  点検口
１４  第２接続口
１５  管体
１６  固定部
２０  継手
２１  第３接続口
２２  第４接続口
２３  固定部
２４  係止部
２５  パッキン
３０  止め具
１００  表壁
１１０  裏壁
１００Ａ  表壁と裏壁との隙間
２００  排水機器としての洗面台
３００  排水管
４００  基礎床
４１０  床板
【図１】
2008291456.tif 000003
【図２】
2008291456.tif 000004
【図３】
2008291456.tif 000005
【図４】
2008291456.tif 000006
【図５】
2008291456.tif 000007
【図６】
2008291456.tif 000008
【図７】
2008291456.tif 000009
【図８】
2008291456.tif 000010
【図９】
2008291456.tif 000011
【図１０】
2008291456.tif 000012
【図１１】
2008291456.tif 000013
【図１２】
2008291456.tif 000014
【図１３】
2008291456.tif 000015
【図１４】
2008291456.tif 000016